(57)【要約】【課題】目の疲労を反映した情報を基に、ユーザに目の疲労を的確に知らせることができるヘッドマウントディスプレイを提供する。【解決手段】画像を出力する画像出力部を有するヘッドマウントディスプレイであって、視度を調整する視度調整手段を有し、２回以上視度調整が行われた場合において、以前の視度調整位置と現在の視度調整位置との差を検出できる機構を有し、この差分が予め定めた値以上の場合は、目の疲労を知らせる特定のメッセージを画像及び／又は音声により出力するようにしたヘッドマウントディスプレイ。【選択図】図１
2004286832.tif 000002
【特許請求の範囲】
【請求項１】
画像を出力する画像出力部を有するヘッドマウントディスプレイであって、
視度を調整する視度調整手段と、
視度調整が行われたとき、視度調整後の視度調整位置と視度調整前の視度調整位置との差が所定値以上である場合、目の疲労を知らせる情報を出力する手段と、
を有することを特徴とするヘッドマウントディスプレイ。
【請求項２】
画像を出力する画像出力部を有するヘッドマウントディスプレイであって、
視度を調整する視度調整手段と、
視度調整が行われたとき、視度調整後の視度調整位置と視度調整前の視度調整位置との差が所定値以上である場合、目の疲労を知らせる情報を出力する手段と、
ユーザに視度を調整するように促す情報を出力する手段と、
を有することを特徴とするヘッドマウントディスプレイ。
【請求項３】
請求項２に記載のヘッドマウントディスプレイであって、
前記ユーザに視度を調整するように促す情報の出力は、少なくとも、起動時に行われることを特徴とするヘッドマウントディスプレイ。
【請求項４】
請求項２および３のいずれか一項に記載のヘッドマウントディスプレイであって、さらに、
頭部への装着を検出する頭部装着検出手段を有し、
前記ユーザに視度を調整するように促す情報の出力は、少なくとも、前記頭部装着検出手段により、頭部への装着が検出された場合に行われることを特徴とするヘッドマウントディスプレイ。
【請求項５】
請求項２ないし４のいずれか一項に記載のヘッドマウントディスプレイであって、さらに、
頭部に装着した場合に、前記画像出力部が、眼前位置に配置される状態と、眼前位置から退避した状態とで位置変位可能とする画像出力部位置変位手段を有し、
前記ユーザに視度を調整するように促す情報の出力は、少なくとも、前記画像出力部が、前記眼前位置から退避した状態から前記眼前位置に配置される状態へと位置変位した場合に行われることを特徴とするヘッドマウントディスプレイ。
【請求項６】
請求項２ないし５のいずれか一項に記載のヘッドマウントディスプレイであって、
前記ユーザに視度を調整するように促す情報を出力する手段は、視度調整が行われた後、所定時間経過した後に、再度視度調整するようにユーザに促す情報を出力する機能を有する
ことを特徴とするヘッドマウントディスプレイ。
【請求項７】
請求項１ないし６のいずれか一項に記載のヘッドマウントディスプレイであって、さらに、
視度調整が行われる時には、画像出力部に、予め定めた視度調整用パタンを出力する手段
を有することを特徴とするヘッドマウントディスプレイ。
【発明の詳細な説明】
【０００１】
【発明の属する技術分野】
本発明は、ユーザの頭部に装着された状態で、ユーザが画像を見ることができるように画像出力を行うヘッドマウントディスプレイに関する。
【０００２】
【従来の技術】
ヘッドマウントディスプレイ（以下、ＨＭＤと略記する）は、光学系を使用して画像を目に投影する。そのため、ユーザがＨＭＤを長時間使用したときにおける、目の疲労について考慮する必要がある。特開平１０−６５９９７号公報（特許文献１）には、映像表示開始時刻（基準時刻）から所定の時間が経過した場合に、ユーザに警告を与えることを特徴とする映像表示装置が記載されている。
【特許文献１】
特開平１０−６５９９７号公報
【０００３】
【発明が解決しようとしている課題】
しかし、上述の映像表示装置は、単に時間で制御するに止まっているためユーザ固有の目の疲労を反映した情報を基に、ユーザに警告を与えるものではない。したがって、特許文献１記載の技術によっては、ユーザが目の疲労を的確に知ることはできない。
【０００４】
本発明の目的は、ユーザ固有の目の疲れを反映した情報を基に、ユーザに目の疲労を的確に知らせることができるヘッドマウントディスプレイを提供することにある。
【０００５】
【課題を解決するための手段】
前記目的を達成するため、請求項１に係る発明のヘッドマウントディスプレイは、画像を出力する画像出力部を有するヘッドマウントディスプレイであって、視度を調整する視度調整手段と、視度調整が行われたとき、視度調整後の視度調整位置と視度調整前の視度調整位置との差が所定値以上である場合、目の疲労を知らせる情報を出力する手段と、を有することを特徴とするヘッドマウントディスプレイである。
【０００６】
請求項２に係る発明のヘッドマウントディスプレイは、画像を出力する画像出力部を有するヘッドマウントディスプレイであって、視度を調整する視度調整手段と、視度調整が行われたとき、視度調整後の視度調整位置と視度調整前の視度調整位置との差が所定値以上である場合、目の疲労を知らせる情報を出力する手段と、ユーザに視度を調整するように促す情報を出力する手段と、を有することを特徴とするヘッドマウントディスプレイである。
【０００７】
請求項３に係る発明のヘッドマウントディスプレイは、請求項２に記載のヘッドマウントディスプレイであって、前記ユーザに視度を調整するように促す情報の出力は、少なくとも、起動時に行われることを特徴とするヘッドマウントディスプレイである。
【０００８】
請求項４に係る発明のヘッドマウントディスプレイは、請求項２および３のいずれか一項に記載のヘッドマウントディスプレイであって、さらに、頭部への装着を検出する頭部装着検出手段を有し、前記ユーザに視度を調整するように促す情報の出力は、少なくとも、前記頭部装着検出手段により、頭部への装着が検出された場合に行われることを特徴とするヘッドマウントディスプレイである。
【０００９】
請求項５に係る発明のヘッドマウントディスプレイは、請求項２ないし４のいずれか一項に記載のヘッドマウントディスプレイであって、さらに、頭部に装着した場合に、前記画像出力部が、眼前位置に配置される状態と、眼前位置から退避した状態とで位置変位可能とする画像出力部位置変位手段を有し、前記ユーザに視度を調整するように促す情報の出力は、少なくとも、前記画像出力部が、前記眼前位置から退避した状態から前記眼前位置に配置される状態へと位置変位した場合に行われることを特徴とするヘッドマウントディスプレイである。
【００１０】
請求項６に係る発明のヘッドマウントディスプレイは、請求項２ないし５のいずれか一項に記載のヘッドマウントディスプレイであって、前記ユーザに視度を調整するように促す情報を出力する手段は、視度調整が行われた後、所定時間経過した後に、再度視度調整するようにユーザに促す情報を出力する機能を有することを特徴とするヘッドマウントディスプレイである。
【００１１】
請求項７に係る発明のヘッドマウントディスプレイは、請求項１ないし６のいずれか一項に記載のヘッドマウントディスプレイであって、さらに、視度調整が行われる時には、画像出力部に、予め定めた視度調整用パタンを出力する手段を有することを特徴とするヘッドマウントディスプレイである。
【００１２】
【発明の実施の形態】
本発明のＨＭＤは、長時間ＨＭＤを使用した場合などにおいて、ユーザに目の疲労を的確に認知させる機能を有する。実施形態の説明に先立って、本発明における課題解決の原理について説明する。
【００１３】
一般に目が疲労した場合には、疲労していない場合に比べて近い位置にピントが合うようになる。本発明は、この性質を利用したものである。すなわち、ユーザが少なくとも２回視度調整を行った場合に、１回目の視度調整位置と２回目の視度調整位置との差を検出する。そして、その差が予め定めた値より大きいときは目が疲労したとして、ユーザに目の疲労を知らせることとしたものである。この予め定めた値は、例えば、実験によって定めることができる。
【００１４】
以下、本発明の実施形態について、図面を参照して説明する。
（第１の実施形態）
図１に、本発明の第１の実施形態に係るヘッドマウントディプレイの一例を示す。
【００１５】
図１に示すように、ヘッドマウントディスプレイ（以下、ＨＭＤと略記する）は、ユーザＵに対して画像を出力するための機能を有する画像出力部１００と、音声、音楽、効果音等の音響を発生させる機能を有する音響出力部２００（２００Ｒ，２００Ｌ）と、画像出力部１００および音響出力部２００を一体的に連結すると共に、これらをユーザＵの頭部１に着脱自在に装着するための支持部３００とで構成される。
【００１６】
このＨＭＤは、図１に示すように、ユーザＵの頭部１に、当該頭部１を挟むように装着される。すなわち、音響出力部２００がユーザＵの耳に当接した状態で、支持部３００が、それ自身が有する弾性力により、ユーザＵの頭部を挟み込むことによって、頭部１に装着される。また、ＨＭＤは、画像表示信号および音響出力信号を出力する駆動ユニットＤを有し、頭に装着可能な各装置とはケーブル８００を介して接続される。
【００１７】
以下に各構成要素について説明する。
【００１８】
画像出力部１００は、図２に示すように、画像を現す画像表示信号を光信号に変換して画像を形成する電気−光変換器１１０と、形成された画像を拡大するレンズ系１２１ａ、１２１ｂと、該レンズ系１２１ａ、１２１ｂを収容する鏡筒１３０を有する光学系１２０と、これらを全体的に収容するケース１４０とを有する。さらに、本実施形態では、画像表示部１００に、視度調整機構を有する。
【００１９】
本実施形態において用いられる電気−光変換器１１０は、ビットマップイメージの画像を形成する表示素子により構成することができるものである。この種の電気−光変換器１１０には、大別して、他の光源からの光についての透過率または反射率を変化させることによって画像を形成する形式のデバイスと、自らが発光し、その発光輝度を変化させることによって画像を形成する形式のデバイスとがある。前者の形式デバイスとしては、例えば、透過率または反射率を変化させることができる液晶セルを二次元的に配置した液晶表示素子が挙げられる。後者の形式でのデバイスとしては、例えば、電気信号によりそれ自身が発光する発光素子を二次元的に配置した有機ＥＬ素子が挙げられる。本発明では、いずれの形式のデバイスを用いてもよい。本実施形態では、有機ＥＬ素子を二次元的に配置した発光表示素子を用いている。
【００２０】
また、電気−光変換器１１０では、例えば、情報処理装置のディスプレイ画面のように画面を形成することができる。もちろん、動画を表示することも可能である。
【００２１】
光学系１２０は、本実施形態では、レンズ系１２１ａ、１２１ｂとを有する。レンズ系１２１ａ、１２１ｂは、電気−光変換器１１０によって形成される画像を拡大する。具体的には、虚像を形成する。この虚像をユーザの水晶体が網膜上に結像させることにより、例えば、ユーザが大きな画像を見ているように表示することが可能となる。
【００２２】
鏡筒１３０は、前述したレンズ系１２１ａ、１２１ｂ、電気−光変換器１１０を収容している。また、鏡筒１３０は、外光が入射しないように遮光性材料により形成されている。
【００２３】
ケース１４０は、図２に示すように、覆い板１４１により形成されている。覆い板１４１は、例えば、遮光性のプラスチックにより形成される。覆い板１４１のユーザＵとの対向面に開口部１４２が設けられている。この開口部１４２内に、レンズ系１２１ａ、１２１ｂが収容される。また、ケース１４０の一端は、連結部１４３となっている。
【００２４】
視度調整機構は、図２に示すように、外周にローレットを施した円盤状の視度調整ツマミ１６０と、視度調整ツマミ１６０の中央部に連結固定された螺子部１６１と、螺子部１６１と接し、電気−光変換器１１０を送りねじ機構により位置変位可能に支持する電気−光変換器支持部１６２と、螺子部１６１の回転量を測定するエンコーダ１８０を有する。
【００２５】
視度調整ツマミ１６０は、螺子部１６１を中心に回動可能となっている。
【００２６】
螺子部１６１には、螺旋状に切り込みが設けられている。また、視度調整ツマミ１６０と結合していない方の端部には、円盤１６４が取り付けられている。円盤１６４は、エンコーダ１８０により螺子部１６１の回動量を読み取る際に用いられる。
【００２７】
電気−光変換器支持部１６２は、円形の開口部１６３を有する。開口部１６３には、螺子部１６１の切り込みと合致（螺合）するように同様の切り込みが設けられている。すなわち、螺子部が回動すると、送りねじ機構により、電気−光変換器支持部１６２の位置が変位するようになっている。
【００２８】
本実施形態では、視度調整ツマミ１６０を図１の矢印方向Ｘに回すと、それと連動して螺子部１６１が矢印方向Ｘに回動する。螺子部１６１が回動すると、電気−光変換器支持部１６２は図２の矢印方向Ｙに移動するようになっている。これにより、電気−光変換器１１０も矢印方向Ｙに移動するように構成されている。この場合、ユーザにとっては虚像がより近くにあるように観察されることになる。
逆に、視度調整ツマミ１６０を図１の矢印方向Ｘの逆方向に回すと、電気−光変換器１１０は、図２の矢印方向Ｙの逆方向に移動する。この場合、ユーザにとっては虚像がより遠くにあるように観察されることになる。この機構により、ユーザは、視度調整ツマミ１６０を所定の方向に回すことにより、画像にピントがあうように視度調整を行うことができる。
【００２９】
エンコーダ１８０は、円盤１６４のを挟み込むようにして、円盤１６４の回動を読み取れるように取り付けられている。エンコーダ１８０の出力は、駆動ユニットＤの中央制御装置８５４に送られる。
【００３０】
音響出力部２００は、音響出力信号を音響に変換するものである。本実施形態では、図１に示す様に、左音響出力部２００Ｌと、右音響出力部２００Ｒとが設けられている。この音響出力部２００は、電気信号を音響に変換する不図示の音響変換器と、これを収容するケースと、ケースのユーザＵとの対向面に設けられてユーザの耳に当接する耳パッドとを有する。
【００３１】
音響出力部２００は、通常、ヘッドホンとして製品化されているものを用いることができる。また、音響出力部２００は、本実施形態では、その構造上、後述する支持部３００と共に、当該ＨＭＤをユーザＵの頭部１に装着させる際の、耳への当接部としても機能する。
【００３２】
なお、本実施形態では、音響出力部２００Ｌ側に、ケーブル８００と内部配線とを接続する接続部（図示せず）が設けられている。
【００３３】
支持部３００は、図１に示すように、左右の音響出力部２００Ｌと２００Ｒとを連結するバンド３１０と、バンド３１０の一端側に設けられた画像出力部支持アーム３２０とを有する。
【００３４】
バンド３１０は、ユーザＵの頭部１を後方から挟むことができるように湾曲した形状を持っている。そして、両端に音響出力部２００Ｌと２００Ｒとが連結固定されている。
【００３５】
駆動ユニットＤには、図７で示すように、画像出力部１００に画像表示信号を送るため、当該画像表示信号を処理する画像出力信号処理装置８５１と、音響出力部２００に音響出力信号を送るための音響出力信号処理装置８５２と、全体を総合的に管理する中央制御装置８５４と、電源のオンオフおよび節電モードの制御を行うための電源制御回路８５６とを有する。中央制御装置８５４には、時間の経過を測定できるタイマー装置が搭載されている。また、ＨＭＤ本体の各装置との情報信号の授受は、入出力インタフェース８５８を介して行っている。また、電源のオンオフを行うためのメインスイッチＳＷを有する。さらに、ＨＭＤの頭部に装着される各装置と信号を授受するためのケーブル８００のプラグ８１０を接続するためのコネクタＣＮが設けられている。また、電源として、充電可能な電池８５７が用意されている。
【００３６】
駆動ユニットＤには、画像表示信号および音響出力信号を生成する基となる画像情報および音響情報を格納する記憶装置８５３が用意される。また、この他に、必要に応じて、外部より、画像情報および音響情報を受け入れるための通信装置を備えることもできる。
【００３７】
以上のように構成される実施形態のＨＭＤの動作について、視度調整の機構を中心に説明する。
【００３８】
図６は、視度調整機構を中心にＨＭＤの動作を説明したフローチャートである。
【００３９】
電源制御回路８５６から起動信号が出されると（Ｓ１１０）、中央制御装置８５４は、視度調整を促す情報を出力するように、画像出力信号処理装置８５１および音響出力信号処理装置８５２に命令する。そして、画像出力部１００および音響出力部２００は、視度調整を促す情報を出力する（Ｓ１２０）。視度調整を促す情報の出力は、例えば、図８に示すように、画像出力部１００の表示画面１５０に「視度調整をして下さい」などのメッセージ文字を表示したり、音響出力部２００から「視度調整をして下さい」などのメッセージ音声を出力することにより行う。この他、イラストにより、視度調整を促す情報を出力することができる。ユーザは、視度調整ツマミ１６０を回し、画像が最も見やすくなるようにピントをあわせ、視度調整を行う。視度調整後、ユーザはそのまま、画像（テレビジョン映像、ビデオ映像、テレビゲーム映像等）、音声を視聴する。
【００４０】
次に、中央制御装置８５４は、起動から所定時間（例えば、１時間）が経過したかを判断する（Ｓ１４０）。所定時間が経過したと判断した場合は、中央制御装置８５４は、画像出力信号処理装置８５１、音響出力信号処理装置８５２に、視度調整を促す情報を出力するように命令する。そして、画像出力部１００および音響出力部２００は、視度調整を促す情報を出力する（Ｓ１５０）。上述と同様に、視度調整を促す情報は、文字と音声によりメッセージを出力して行う。なお、２回目の視度調整を促すまでの所定時間は、ユーザにより好みがあるので、ユーザが選択できるようにしてもよい。
【００４１】
ユーザにより視度調整ツマミ１６０が回されると、エンコーダ１８０は、螺子部１６１の回動量を測定する。中央制御装置８５４は、この測定された回動量を受け付ける。中央制御装置８５４は、この回動量から、視度調整後の視度調整位置と視度調整前の視度調整位置の差分を求める。このとき、中央制御装置８５４は、螺子部１６１の回動が止まってから、所定時間（例えば１分）経過した後に、該差分を求める。こうすることで、中央制御装置８５４は、ユーザが視度調整を完全に終了した時点での視度調整位置を把握することができる。
【００４２】
次に、中央制御装置８５４は、視度調整位置の差分が所定値（例えば、０．５Ｄｐ）以上かを判断する（Ｓ１６０）。所定値未満の場合は、Ｓ１４０に戻る。所定値以上の場合は、中央制御装置８５４は、画像出力信号処理装置８５１、音響出力信号処理装置８５２に、目の疲労を認知させるメッセージを出力するように命令する。そして、画像出力信号処理装置８５１および音響出力信号処理装置８５２は、ユーザに目の疲労を認知させるメッセージを出力する。具体的には、図９に示すように、画像出力部１００に「目が疲労しています。」などのメッセージ文字を表示したり、音響出力部２００から「目が疲労しています。」などのメッセージ音声を出力することにより行う。このとき、図９のように表示画面１５０に疲労度を示すメータ１５５を設けて、視度調整位置の差分に応じて、メータ針が所定値を指すようしてもよい。疲労度を模式的に表示することで、ユーザにとっては、容易に疲労の程度が分かるようになる。
【００４３】
以上のＨＭＤの動作により、ユーザは目が疲労していることを的確に認知することができる。
【００４４】
なお、視度調整を促す情報の出力や目の疲労を知らせる情報の出力は、画像によって行っても、音声によって行ってもよく、両方で同時に行ってもよい。
【００４５】
（第１の実施形態の変形例）
上述の第１の実施形態においては、視度調整ツマミ１６０をユーザが回すことにより、螺子部１６１が回動し、視度調整を行う機構となっている。一方、第１の実施形態のＨＭＤは、図４に示すように、螺子部１６１をモータ１７０により回動させることにより視度調整を行うものであってもよい。図４では、螺子部１６１は、モータ１７０の駆動軸となる。
【００４６】
このような実施形態のＨＭＤでは、駆動ユニットＤには不図示のモータ制御装置が搭載されている。また、図３のように音響出力部２００の側面に視度調整器１７５を設ける。視度調整器１７５の指度値は、駆動ユニットＤのモータ制御装置および記憶装置８５３に送られる。記憶装置８５３には、指度値とそれに対応する視度調整位置とが一組として記憶されている。モータ制御装置は、指度値に対応した所定の視度調整位置になるように、所定の回転方向に所定の回転数だけモータ１７０を駆動させる。モータ１７０が駆動すると、螺子部１６１が回動し、それにともない電気−光変換器１１０が移動し、視度調整が行われる。本実施形態では、視度調整器１７５を図３に示す矢印方向Ｚに回すと、電気−光変換器１１０が図４に示すように矢印方向Ｙに移動する。
【００４７】
記憶装置８５３には、指度値と、視度調整を行った時間とが一対として記憶される。このとき、指度値の変更がなくなってから所定時間（例えば１分）経過した後に、記憶するようにする。こうすることで、ユーザが視度調整を完全に終了した時点での視度調整位置が把握できる。なお、視度調整を行った時間は、電源投入開始時を基準とすることができる。
【００４８】
このＨＭＤの動作は、基本的には上述の第１の実施形態と同様である。すなわち、電源投入開始の際にユーザにより設定された最初の指度値が、記憶装置８５３に記憶される。次に、所定時間経過後にユーザにより変更された指度値が記憶装置８５３に記憶される。そして、最初の指度値と所定時間経過後に変更された指度値との差が中央制御装置８５３により求められる。その差分が所定値以上であった場合は、画像出力信号処理装置８５１および音響出力信号処理装置８５２に、目の疲労を認知させるメッセージを出力するよう命令する。
【００４９】
その結果、画像出力部１００は、「目が疲労しています。」などの文字を表示する。これにより、ユーザは目が疲労していることを的確に認知することができる。
【００５０】
なお、視度調整器１７５としては、プッシュボタンを二つ設け、一方のボタンは近視方向に像位置を変位させるためのボタン、他方は遠視方向に像位置を変位させるためのボタンとしたプッシュ式のものを用いることもできる。
【００５１】
上記の実施形態では、視度調整位置として、電気−光変換器１１０の変位をエンコーダにより求めている。本発明はこれに限らない。エンコーダを用いなくても、例えば、電気−光変換器１１０の変位を検出するセンサを取り付けることや、モータ１７０への制御信号から電気−光変換器１１０の変位量を求めるなど、視度調整時における電気−光変換器１１０の変位を検出できる機構を備えていればよい。
【００５２】
また、視度調整をするようにＨＭＤにより促されることなく、ユーザが自ら視度調整を行う場合においても、上記実施形態を適用することができる。すなわち、ＨＭＤに促されることなくユーザ自ら２回以上、視度調整を行った場合に、前回と今回の視度調整位置の差が所定値以上である場合は、目の疲労を知らせるメッセージを出力するようにしてもよい。
（最初の視度調整を促すメッセージの出力時期）
上記実施例では、ＨＭＤが起動したときに、一回目の視度調整を促すメッセージを出力することとしている。しかし、本発明のＨＭＤは、これに限られない。
【００５３】
ユーザがＨＭＤの装着を開始したときに、視度調整を促すメッセージを出力することとしてもよい。こうすれば、使用開始時の目が疲労していないと思われるときに最初の視度調整をユーザに行わせることができる。
【００５４】
この場合、ＨＭＤにはユーザの頭部に装着されたかを検出する頭部装着検出機構を設ける。頭部装着を直接的に検出するのは、容易ではないが、ＨＭＤに特定の構造を持たせることで、間接的に頭部への装着を検出することができる。例えば、バンド３１０の中間付近にヒンジを設け、ヒンジの開閉を検出するようにした構造；バンド３１０と音響出力部２００との連結部分に加わる押圧を、圧力センサにより検出するようにした構造；バンド３１０の湾曲の程度を検出する曲げセンサをバンド３１０に設けた構造；などをＨＭＤに持たせることで、頭部への装着の開始を検出できる。
【００５５】
また、図５に示すように、画像出力部１００がユーザ眼前に相当する位置（眼前位置）から待避可能なＨＭＤにおいては、画像出力部１００がユーザの眼前位置に配置されたときに、最初の視度調整を促すメッセージを出力することとしてもよい。こうすれば、ユーザに、画像の観察を開始した直後の目が疲労していないと思われるときに、最初の視度調整を行わせることができる。
【００５６】
図５において、バンド３１０は、本体３１１と、画像出力部支持アーム３２０を出没自在に収容する画像出力部支持アーム収容部３１２とにより構成される。
【００５７】
画像出力部支持アーム収容部３１２には、本実施形態では、音響出力部２００Ｌに隣接して、開口部３１２ｂが設けられている。画像出力部支持アーム３２０は、この開口部３１２ｂから出没することができる。なお、開口部３１２ｂには、図示していないが、画像出力部支持アーム３２０が、引き出された際に、抜け落ちないようにするためのストッパが設けられている。また、画像出力部支持アーム収容部３１２には、画像出力部支持アーム３２０の出没を円滑に行うため、案内レール（図示せず）が設けられる。これにより、画像出力部支持アーム３２０が円滑にスライドすることになる。従って、画像出力部支持アーム３２０を使用可能状態とするため、また、使用終了後に待避させるために、ユーザＵにより行われる出没操作が容易となる。
【００５８】
画像出力部支持アーム収容部３１２の底部３１２ａには、画像出力部支持アーム３２０の存否を検出するセンサ４００が取り付けられる。
【００５９】
このセンサ４００は、画像出力部支持アーム収容部３１２に、画像出力部支持アーム３２０が収容されて、アーム３２０の端部３２１が当該センサ４００に接触すると、それを検出する。例えば、アーム３２０の端部３２１が当該センサ４００に接触しているときは画像出力部１００の消費電力を少なくする、または画像表示をオフしたり、ＨＭＤ全体をオフしたり、接触していないときオンとなるように設定しておく。画像出力部支持アーム３２０が引き出されている場合には、該アーム３２０の端部３２１が当該センサ４００に接触していないので、センサ４００はオンとなる。反対に、接触している場合には、センサ４００はオフとなる。
【００６０】
これにより、画像表示部１００をユーザの眼前位置に配置した状態かどうかを検出できる。そして、眼前位置に配置したことを検出したときに、画像観察を開始したと判断し、最初の視度調整をユーザに促すようにすることができる。
（２回目以降の視度調整を促す時期）
２回目以降の視度調整を促す時期は、経験的に知られる人間の眼精疲労のパターンに応じて、変化させることもできる。
【００６１】
例えば、最初の視度調整の時期から２回目の視度調整の時期は比較的長く（例えば２時間）、２回目と３回目の間は短く（例えば１時間）、３回目と４回目は、さらに短く（例えば３０分）という具合にする。こうすれば、連続して長期に眼を使うと、疲れの度合いが早くなるという目の性質を考慮できる。
（疲労を判断する視度調整量）
目が疲労していると判断する視度調整量の閾値は第１の実施形態では０．５Ｄｐと固定していたが、この値は固定されている必要はない。例えば二回目の視度調整においてはこの値は大きくしておき、視度調整を行うたびにその値を小さくしてもよい。こうすれば連続して長期に目を使った場合に、ユーザが目の疲労に慣れてしまうということを防ぐことができる。また、ユーザが目の疲労を感じたときの視度調整を記憶しておき、その値を目が疲労していると判断する視度調整量として用いてもよい。
（視度調整に用いる画像）
視度調整の際に画像表示部１００に表示する画像は、予め記憶装置８５３に記憶された視度調整用の特定パタンを用いるようにしてもよい。視度調整用の特定パタンとしては、例えば、白と黒で構成される幾何学的模様や、視力測定に用いられるランドルト環、マルタクロス等のコントラストのはっきりした画像を用いることができる。
【００６２】
以上に述べた実施形態のヘッドマウントディスプレイは、画像出力信号を生成すると共に、音響出力信号を出力する駆動ユニットに、ケーブルを介して接続される形式のものである。しかし、本発明が適用されるＨＭＤは、これに限られない。例えば、図１０に示すように、駆動ユニットとＨＭＤとを一体化した構造を有するものにも適用することができる。また、駆動ユニットとＨＭＤとを無線で接続する構成のものに適用することもできる。後者の場合、無線通信のための回路と電源とがＨＭＤに搭載される。また、駆動ユニット側にも、無線通信のための回路が搭載される。
【００６３】
また、以上の実施形態では、画像出力部および音響出力部の両者を有する例を示した。本発明の適用は、これに限られない。例えば、画像出力部のみを有するＨＭＤにも適用可能である。
【００６４】
【発明の効果】
本発明によれば、目の疲労を反映した情報を基に、ユーザに目の疲労を的確に知らせることができるヘッドマウントディスプレイを提供することできる。
【図面の簡単な説明】
【図１】図１は本発明に係る第１の実施形態に係るヘッドマウントディスプレイの外観を示す斜視図。
【図２】図２は第１の実施形態において用いられる画像出力部の構成を示す一部破断平面図。
【図３】図３は本発明に係る第１の実施形態の変形例に係るヘッドマウントディスプレイの外観を示す斜視図。
【図４】図４は第１の実施形態の変形例において用いられる画像出力部の構成を示す一部破断平面図。
【図５】図５は画像出力部が眼前位置から待避可能な構造を持つヘッドマウントディスプレイの構造を示す一部破断平面図。
【図６】図６は視度調整を中心に第１の実施形態の動作を示すフローチャート。
【図７】図７は各実施形態に適用可能なヘッドマウントディスプレイ駆動ユニットの構成要素を表すブロック図。
【図８】図８は第１の実施形態にかかるヘッドマウントディスプレイの動作において、視度調整を促す情報を出力しているところを示す図。
【図９】図９は第１の実施形態にかかるヘッドマウントディスプレイの動作において、目の疲労を認知させる情報を出力しているところを示す図。
【図１０】図１０は本発明にかかる駆動ユニット一体型ヘッドマウントディスプレイの外観を示す斜視図。
【符号の説明】
Ｄ…駆動ユニット、ＣＮ…コネクタ、ＳＷ…電源スイッチ、
Ｕ…ユーザ、１…頭部、２…眼、
１００…画像出力部、１１０…電気−光変換器、１２０…光学系、１２１ａ，１２ｂ…レンズ系、１３０…鏡筒、１４０…ケース、
１６０…視度調整ツマミ、１６１…螺子部、１６２…電気−光変換器支持部、１６３…開口部、１７０…モータ、１７５…視度調整器、１８０…エンコーダ、
２００（２００Ｌ，２００Ｒ）…音響出力部、
３００…支持部、３１０…バンド、３１１…バンド本体、３１２…画像出力部支持アーム収容部、３１２ａ…底部、３１２ｂ…開口部、
３２０…画像出力部支持アーム、３２１…端部、４００…センサ、
８００…ケーブル、８１０…プラグ、
８５１…画像出力信号処理装置、８５２…音響出力信号処理装置、８５３…記憶装置、８５４…中央制御装置、８５６…電源制御回路、８５７…電池、８５８…入出力インタフェース
【図１】
2004286832.tif 000003
【図２】
2004286832.tif 000004
【図３】
2004286832.tif 000005
【図４】
2004286832.tif 000006
【図５】
2004286832.tif 000007
【図６】
2004286832.tif 000008
【図７】
2004286832.tif 000009
【図８】
2004286832.tif 000010
【図９】
2004286832.tif 000011
【図１０】
2004286832.tif 000012